(57)【要約】【課題】ロール巻状のペーパに直接手を触れることなく、ペーパの先端を引き出すことができる、簡易的な構造のペーパホルダおよびペーパ送り出し具を提供する。【解決手段】ペーパ送り出し具Ｃ２は、ペーパホルダＢ２の側板１４に対して回転自在に回転する回転板１７と、前記回転板１７の回転に追従してトイレットペーパＡが回転するようにその巻芯１に内嵌合して保持する保持部１６とを備える。この構成のペーパ送り出し具Ｃ２をトイレットペーパＡの側方に取り付ける。ペーパ送り出し具Ｃ２を取り付けたトイレットペーパ１をペーパホルダＢ２に対して回転自在に係合させる。【選択図】図７
0003121775.tif 000002
【実用新案登録請求の範囲】
【請求項１】
壁面等に固定する基板と、前記基板の左右両端から突設された一対の側板と、ロール巻状のペーパを覆うカバーとを設けたペーパホルダにおいて、
いずれか一方の側板には、前記ペーパを回転させ、前記ペーパの先端を前記ペーパホルダから送り出しするペーパ送り出し具を備え、
前記ペーパ送り出し具は、前記側板に対して回転自在に回転する回転板と、前記回転板の回転に追従して前記ペーパが回転するように前記ペーパを保持する保持部とを備え、
前記回転板が、手動で操作が可能なように、前記ペーパから離れた位置に設けられたことを特徴とするペーパホルダ。
【請求項２】
壁面等に固定する基板と、前記基板の左右両端から突設された一対の側板と、前記基板あるいは前記左右側板の上端に回転自在に装着したカバーとを設けたペーパホルダにおいて、
いずれか一方の側板には、前記ペーパを回転させ、前記ペーパの先端を前記ペーパホルダから送り出しするペーパ送り出し具を備え、
前記ペーパ送り出し具は、前記側板に対して回転自在に回転する回転板と、前記回転板の回転に追従して前記ペーパが回転するように前記ペーパを保持する保持部とを備え、
前記回転板が、手動で操作が可能なように、前記ペーパから離れた位置に設けられ、
前記保持部は、ロール巻状のペーパの芯に嵌合するように、その内径に対応して外形が変化する形状とされたことを特徴とするペーパホルダ。
【請求項３】
ロール巻状のペーパと一緒にペーパホルダに対して着脱自在に保持され、前記ペーパの先端を前記ペーパホルダから送り出しするペーパ送り出し具であって、
前記ペーパ送り出し具は、前記側板に対して回転自在に回転する回転板と、前記回転板の回転に追従して前記ペーパが回転するように前記ペーパを保持する保持部とを備え、
前記回転板が、手動で操作が可能なように、前記ペーパから離れた位置に設けられ、
前記保持部は、ロール巻状のペーパの芯に嵌合するように、その内径に対応して外形が変化する形状とされたことを特徴とするペーパ送り出し具。
【請求項４】
ロール巻状のペーパと一緒にペーパホルダに対して着脱自在に保持され、前記ペーパの先端を前記ペーパホルダから送り出しするペーパ送り出し具であって、
前記ペーパ送り出し具は、前記側板に対して回転自在に回転する回転板と、前記回転板の回転に追従して前記ペーパが回転するように前記ペーパを保持する保持部とを備え、
前記回転板が、手動で操作が可能なように、前記ペーパから離れた位置に設けられ、
前記保持部は、前記ペーパの芯の内径に対応して、外形がテーパ状に形成されたことを特徴とするペーパ送り出し具。
【考案の詳細な説明】
【技術分野】
【０００１】
本考案は、ロール巻状のペーパ、特にトイレットペーパの先端を送り出しすることができるペーパホルダおよびペーパ送り出し具に関する。
【背景技術】
【０００２】
従来のトイレットペーパホルダは、ロール巻きしたトイレットペーパを回転可能に支持し、ペーパホルダに取り付けたカバーがトイレットペーパの上に載り、引き出したトイレットペーパをこのカバーの端縁に沿って切断して使用する。そのため、紙を引き出すには、カバーを手で持ち上げ、トイレットペーパの先端切断部を手で引き出す構造になっている。
【０００３】
ところが、トイレットペーパの先端切断部は、トイレットペーパ本体に密着していて先端が判別しにくいため、紙を引き出す際、カバーを持ち上げた状態でトイレットペーパを回転させ、先端切断部を探す必要がある。また、トイレットペーパの先端を探す際、カバーを持ち上げると共に、トイレットペーパを直接手で触りながら探すため、極めて不衛生である。
【０００４】
そこで、特許文献１には、ペーパホルダに設けたカバーの裏面に、前後方向に揺動自在となるようその上端を枢着した揺動部材を備え、この揺動部材の下端部にトイレットペーパに対して摺動するペーパ送り部材を取り付け、カバーの上昇動による揺動部材の揺動によってトイレットペーパを送り出しするペーパホルダが開示されている。
【０００５】
また、特許文献２には、左右の側壁間に回転自在に保持されたロール巻状のトイレットペーパの外周面に接しながら回転し、そのトイレットペーパの先端をペーパホルダから外へ送り出すペーパ繰り出し回転輪を備えたペーパホルダが開示されている。
【特許文献１】特開２００４−２５４８２４
【特許文献２】特開２００５−１８５４５５
【考案の開示】
【考案が解決しようとする課題】
【０００６】
ところで、特許文献１および特許文献２は、共にトイレットペーパの表面に送り出し具を接触させ、それらの摩擦抵抗によってトイレットペーパを送り出しているため、トイレットペーパ自体を破損させる問題がある。また、特許文献２は、送り出し具を可動させるために駆動モータや近接センサ等を用いているため構造が複雑となる問題がある。
【０００７】
本考案は、上記に鑑み、ロール巻状のペーパに直接手を触れることなく、ペーパの先端を引き出すことができる、簡易的な構造のペーパホルダおよびペーパ送り出し具の提供を目的とする。
【課題を解決するための手段】
【０００８】
本考案は、壁面等に固定する基板と、前記基板の左右両端から突設された一対の側板と、ロール巻状のペーパを覆うカバーとを設けたペーパホルダにおいて、いずれか一方の側板には、前記ペーパを回転させ、前記ペーパの先端を前記ペーパホルダから送り出しするペーパ送り出し具を備え、前記ペーパ送り出し具は、前記側板に対して回転自在に回転する回転板と、前記回転板の回転に追従して前記ペーパが回転するように前記ペーパを保持する保持部とを備え、前記回転板が、手動で操作が可能なように、前記ペーパから離れた位置に設けられたことを特徴とする。
【０００９】
上記構成によると、回転板は、手動で操作が可能なようにペーパから離れた位置にあるため、使用者の手が回転場に触れる際、ペーパに触れることがない。したがって、衛生的に使用することができる。
【００１０】
また、保持部は、回転板の回転をペーパに伝達するようにペーパを保持する。具体的には、保持部の形状が、ロール巻状のペーパの芯に嵌合するように、その内径に対応して変化する。ここで、ペーパの芯の内径に対応して外形が変化する形状とは、円錐形状やひょうたん形状等のように位置によって断面径が異なる形状や、方持ち支持や可動部を備えた保持部等のように弾性や移動機構等によってそのものの外形形状が変化する形状等のことを示す。
【００１１】
上記構成によると、保持部の外周面とペーパの芯の内周面とが密着する。したがって、保持部は、回転板の回転をペーパに伝達することができる。これにより、使用者は、回転板を回転させることでペーパを送り出すことができる。なお、保持部による保持方法は、特にこの限りではない。例えば、回転板の表面に突起物を備え、この突起をペーパの側面に引っ掛けて保持してもよい。
【００１２】
また、ロール巻状のペーパと一緒にペーパホルダに対して着脱自在に保持され、前記ペーパの先端を前記ペーパホルダから送り出しするペーパ送り出し具であって、前記ペーパ送り出し具は、前記側板に対して回転自在に回転する回転板と、前記回転板の回転に追従して前記ペーパが回転するように前記ペーパを保持する保持部とを備え、前記回転板が、手動で操作が可能なように、前記ペーパから離れた位置に設けられ、前記保持部は、ロール巻状のペーパの芯に嵌合するように、その内径に対応して外形が変化する形状とされたことを特徴とする。
【００１３】
上記構成によると、ペーパ送り出し具は、ペーパホルダに対して着脱自在とされる。すなわち、事前にペーパ送り出し具をペーパの側面に取り付けることができるため、従来からある既存のペーパホルダに対しても取り付けることができる。
【考案の効果】
【００１４】
以上の説明で明らかなように、本考案によれば、ロール巻状のペーパの先端を送り出す際、回転板を回すことでペーパの先端をペーパホルダから送り出すことができる。そのため、使用者がペーパに直接触れることなくがないので、ペーパを衛生的に使用することができる。また、駆動モータやその駆動モータの電源装置等を備えた複雑な構造にならないため、ペーパの装着作業や交換作業を極めて簡単容易に行うことができる。
【考案を実施するための最良の形態】
【００１５】
［第１実施形態］
以下、本考案の第１実施形態に係るペーパホルダについて説明する。なお、本考案を説明するにあたり、ペーパホルダの実施形態は、ロール巻状のトイレットペーパを保持するトイレットペーパホルダを例に説明する。
【００１６】
トイレットペーパＡは、紙等から形成された管状の巻芯１に対して、ペーパをロール状に巻き付けて形成される。
【００１７】
第１実施形態のペーパホルダＢ１は、図１〜図３に示すように、トイレットの壁面等に固定される基板２と、基板２の左右両端から前向きに突設された左右一対の側板３，４と、トイレットペーパＡの上側を覆うカバー５とから構成される。
【００１８】
左右の側板３，４のうち、一方の側板３は、基板２に対して起伏自在に装着される。また、他方の側板４は、トイレットペーパＡを回転させ、トイレットペーパＡの先端をカバー５から送り出しするペーパ送り出し具Ｃ１を備える。
【００１９】
一方の側板３は、基板の端辺に備えられた軸６を中心に回動することで、基板２に対して垂直あるいは水平に位置することができる。また、一方の側板３には、トイレットペーパＡを回転自在に支持するピン７を備える。このピン７は、側板３から円筒状に突出した突起部であって、側板３と一体的に形成される。
【００２０】
他方の側板４に備えられたペーパ送り出し具Ｃ１は、他方の側板４に対して回転自在に回転する回転板９と、この回転板９の回転に追従してトイレットペーパＡが回転するようにトイレットペーパＡを保持する保持部１０とを備える。
【００２１】
回転板９は、円盤状に形成された板とされ、その中心位置が一方の側板３に供えられたピン７の軸芯と一致する位置に配置される。また、回転板９の直径は、トイレットペーパＡの直径よりも大きく形成される。
【００２２】
保持部１０は、トイレットペーパＡの巻芯１に内嵌合する円筒部材とされる。保持部１０は、回転板９の中心位置に配置され、回転板９に対してその表面から垂直方向に突出形成される。保持部１０の長さは、トイレットペーパＡの長手方向の長さの半分以上の長さとされる。また、保持部の外形は、トイレットペーパＡの巻芯１の内径と同径とされる。
【００２３】
上記構成により、巻芯１に保持部１０が内嵌合した際、トイレットペーパＡは、一方の側板３側に傾くことなく保持できる。また、保持部１０の外周面は、巻芯１の内周面と密着する。すなわち、保持部１０は、回転板の回転をトイレットペーパＡに確実に伝達することができる。
【００２４】
ところで、トイレットペーパＡは、メーカや製造方法等によって大きさや巻芯の径等が異なる。そのため、保持部１０の外径は、巻芯１の内径に対応して外径を選択する必要がある。
【００２５】
そこで、保持部１０は、異なる外径の可変部材１１を取り付け、異なる巻芯１の内径に対応する。詳しくは、保持部１０に、クリップ状の取付部１２を備えた可変部材１１を一方の側板３側から被せる。このとき、取付部１２が保持部の端縁を狭持する。可変部材１１は、保持部１０に固定される。これにより、巻芯１の内径が異なる場合でも、保持部１０を巻芯１に内嵌合した際、常に保持部１０の外周面と巻芯１の内周面とが密着する。
【００２６】
なお、巻芯１の内径に対応して保持部１０の外径を可変させるのは、この限りではない。例えば、図４に示すように、保持部１０ａの外形をテーパ状に形成してもよい。この形状により、巻芯１は、その内径に応じた保持部１０ａの外径の位置で嵌合することができる。
【００２７】
また、図５（ａ）および同図（ｂ）に示すように、保持部１０ｂを複数に分割し、回転板９に対して方持ちに支持してもよい。この構成によると、保持部１０ｂは、巻芯１の内径に合わせて中心方向にたわみ、そのたわみの反力によって巻芯１を固定する。なお、この場合、保持部１０ｂの外径は、市場に流通するトイレットペーパＡの巻芯１の内径のうち、最大径と同径とする。
【００２８】
また、図６（ａ）および同図（ｂ）に示すように、保持部１０ｃを２分割にし、保持部１０ｃの軸方向に対して垂直方向に可動自在としてもよい。この場合、回転板１０には、保持部が可動する溝状のガイド１３が形成される。保持部１０ｃは、その一端が回転板９に形成されたガイド１３に可変自在に取り付けられる。この構成によると、保持部１０ｃは、巻芯１の内径に応じてガイド１３に沿って移動するができるので、保持部１０ｃを巻芯１に内嵌合した際、常に保持部１０の外周面と巻芯１の内周面とが密着する。
【００２９】
その他は、従来のペーパホルダと同様の構造とされるので、詳細な説明は省略する。
【００３０】
上記構成のペーパホルダＢ１にトイレットペーパＡを取り付けるには、先ず、一方の側板３を倒す。倒した側板３側から保持部１０に対してトイレットペーパＡの巻芯１が外嵌合するように差し込む。このとき、ペーパホルダＢ１の前側において、トイレットペーパＡの巻き方向が上から下となるように装着される。
【００３１】
トイレットペーパＡの巻芯１と保持部１０とが嵌合したら、一方の側板３を立ち上げる。これにより、側板３に形成されたピン７がトイレットペーパＡの巻芯１に係合する。そして、トイレットペーパＡの上にカバー５を載せる。
【００３２】
次に、ペーパ送り出し具Ｃ１の使用方法について説明する。先ず、トイレットペーパＡの側方に配置された回転板９を回転させる。回転板９を回転させることで、その回転が保持部１０を介してトイレットペーパＡに伝達され、回転する。これにより、トイレットペーパＡの先端がカバー５の下から送り出される。送り出されたトイレットペーパＡの先端をつまんで引き出し、カバー５の前側端縁で切断する。
【００３３】
この構成により、トイレットペーパＡに触れることなく、トイレットペーパＡの先端をカバー５から送り出すことができるため、衛生的に使用することができる。また、回転板９を回転させるだけで、トイレットペーパＡの先端をカバー５から送り出すことができるため、操作が容易に行える。
【００３４】
［第２実施形態］
次に、本考案の第２実施形態に係るペーパ送り出し具Ｃ２について説明する。本実施形態のペーパ送り出し具Ｃ２は、ペーパホルダＢ２に対して着脱自在とされる。すなわち、あらかじめ、トイレットペーパＡの側方に取り付けた状態でペーパホルダに対して取り付ける。これにより、従来からあるペーパホルダに取り付けることができる。以下に、その構造について、図７および図８を用いて説明する。
【００３５】
先ず、ペーパホルダＢ２は、左右の側板１４にトイレットペーパＡを回動自在に支持するピン１５が備えられる。このピン１５は、側板１４に対して起伏自在とされる。詳しくは、ピ１５の側板側端部を支点にして倒したり、起こしたりできる。また、ピン１５は、側板１４に対して倒したときに、側板１４に形成されたくぼみ状の収納部１６に収納される。なお、その他の構成は、従来のペーパホルダと同様なので詳細な説明は省略する。
【００３６】
次に、ペーパ送り出し具Ｃ２について説明する。ペーパ送り出し具Ｃ２は、第１実施形態に係るペーパホルダＢに備えられたペーパ送り出し具８と同じ構成とされるが、その形状が異なる。例えば、回転板１７には、その一端面に直径方向に沿って外周円から中心に向かって溝１８が形成される。また、回転板１７の中心には、保持部１９の内径と連通する孔２０が形成される。
【００３７】
なお、その他は、第１実施形態のペーパ送り出し具Ｃ１と同様な構造とされるため、詳細な説明は省略する。
【００３８】
次に、ペーパ送り出し具Ｃ２の取り付け手順について説明する。先ず、トイレットペーパＡの側方からペーパ送り出し具Ｃ２を取り付ける。ペーパ送り出し具Ｃ２を取り付けたトイレットペーパＡを、ペーパホルダＢ２の下方から持ち上げる。ピン１５は、そのトイレットペーパＡによって上方向に倒れて収納部１６に収納される。トイレットペーパＡの巻芯１がピン１５を隆起したときの軸芯位置にきたときに、ピン１５がバネ等の弾性によって立ち上がり巻芯１および回転板１７の穴と係合される。
【００３９】
上記構成により、トイレットペーパＡは、回転板１７を回転させることで、その回転が保持部１９を介してトイレットペーパＡに伝達され、回転する。これにより、トイレットペーパＡの先端がカバー２１の下から送り出される。送り出されたトイレットペーパＡの先端をつまんで引き出し、カバー２１の前側端縁で切断する。
【００４０】
すなわち、トイレットペーパＡに触れることなく、トイレットペーパＡの先端をカバー２１から送り出すことができるため、衛生的に使用することができる。また、回転板９を回転させるだけで、トイレットペーパＡの先端をカバー２１から送り出すことができるため、操作が容易に行える。
【００４１】
なお、本発明は、上記実施形態に限定されるものではなく、本発明の範囲内で修正・変更を加えることができるのは勿論である。上記実施形態では、トイレットペーパホルダを例に説明したが、キッチンペーパ等のようにロール巻状のペーパを保持するペーパホルダであってもよい。
【００４２】
また、ペーパ送り出し具がペーパホルダの側板の内側に供えられているが、特にこの限りではない。例えば、図９に示すように、側板４の外側から側板４を通ってロール巻状のペーパＡを保持してもよい。この場合、いずれか一方の側板４に穴を形成し、その穴を通ってペーパＡを保持する。この構成により、カバー５をペーパＡ全体に覆い被せることができる。それにより、より衛生的に使用することができる。
【００４３】
また、ペーパ送り出し具Ｃ１は、保持部１０を巻芯に内嵌合させてペーパＡを保持しているが、特にこの限りではない。例えば、図１０に示すように、回転板９の表面に突起物２２を備え、この突起物２２をペーパＡの側面に引っ掛けて保持してもよい。また、図１１に示すように、保持部１０ｄの表面に複数の突起２３を形成し、その突起２３によって巻芯１と密着するようにしてもよい。特に、突起２３をゴム部材で形成すると、突起２３が巻芯１の内径に対して伸縮することができるので、巻芯１との密着をより強固にすることができる。
【００４４】
また、第２実施形態では、側板にピンを備えたペーパホルダについて説明したが、別途に芯部材を取り付けるタイプのペーパホルダであってもよい。この場合、ペーパ送り出し具は中空状とされる。これにより、トイレットペーパを支持する芯部材を、ペーパ送り出し具に形成された孔を通ってペーパの巻芯に挿嵌する。この状態でペーパホルダの側板に固定する。これにより、ペーパを回動自在に支持することができる。
【００４５】
また、ペーパ送り出し具Ｃ３の両端に突起２４を設け、その突起２４をペーパホルダＢ２の側板１４に固定して保持しもよい。詳しくは、図１２に示すように、保持部１９ａがペーパＡの長さよりも長く形成される。その一端は、伸縮自在のジャバラ２５が形成される。回転板１７側の突起２４を側板の凹部に取り付け、一端側のジャバラ２５を収縮させて他方の側板１４の凹部に一端側の突起を取り付ける。これにより、部材を少なくすることができコストが削減できる上、取り付け手順を簡略することができる。
【図面の簡単な説明】
【００４６】
【図１】本考案の第１実施形態に係るペーパホルダの分解斜視図
【図２】第１実施形態のペーパホルダの正面図
【図３】第１実施形態の可変部材を設けた保持部の正面図
【図４】第１実施形態の保持部の外形をテーパ状に形成した場合の正面図
【図５】第１実施形態の保持部の外形を複数に分割した場合の図であって、（ａ）はその正面図、（ｂ）は（ａ）におけるＸからの斜視図
【図６】第１実施形態の保持部の外形を２つに分割した場合の図であって、（ａ）はその正面図、（ｂ）は（ａ）におけるＹからの斜視図
【図７】本発明の第２実施形態に係るペーパホルダの分解斜視図
【図８】第２実施形態に係るペーパホルダの正面図
【図９】本考案のその他の実施形態に係るペーパホルダの正面図
【図１０】本考案のその他の実施形態に係るペーパホルダの正面図
【図１１】本考案のその他の実施形態に係るペーパホルダの正面図
【図１２】本考案のその他の実施形態に係るペーパホルダの正面図
【符号の説明】
【００４７】
１    巻芯
２    基板
２ａ  軸
３    側板
４    側板
５    カバー
６    軸
７    ピン
９    回転板
１０  保持部
１０ａ保持部
１０ｂ保持部
１０ｃ保持部
１０ｄ保持部
１１  可変部材
１２  取付部
１３  ガイド
１４  側板
１５  ピン
１６  収納部
１７  回転板
１８  溝
１９  保持部
１９ａ保持部
２０  孔
２１  カバー
２２  突起物
２３  突起
２４  突起
２５  ジャバラ
Ａ    トイレットペーパ
Ｂ１  第１実施機体のペーパホルダ
Ｂ２  第２実施機体のペーパホルダ
Ｃ１  第１実施機体の送り出し具
Ｃ２  第２実施機体の送り出し具
Ｃ３  その他の実施機体の送り出し具
【図１】
0003121775.tif 000003
【図２】
0003121775.tif 000004
【図３】
0003121775.tif 000005
【図４】
0003121775.tif 000006
【図５】
0003121775.tif 000007
【図６】
0003121775.tif 000008
【図７】
0003121775.tif 000009
【図８】
0003121775.tif 000010
【図９】
0003121775.tif 000011
【図１０】
0003121775.tif 000012
【図１１】
0003121775.tif 000013
【図１２】
0003121775.tif 000014